(57)【要約】【課題】経年変化などによる表示状態の変動を補正して、より鮮明な画像表示を実現する。【解決手段】表示装置１と撮像装置２とが所定の通信ネットワークＮを介して接続された表示システム１００であって、表示装置は、有機ＥＬ表示パネル１０１ａに表示調整用画像を表示させる表示制御部１０１ｂと、表示調整用画像が撮像装置により撮像されることで生成された調整用撮像画像を取得する画像取得部１０３ａと、この画像取得部により取得された調整用撮像画像と表示調整用画像とを比較する画像比較部１０３ｃと、この画像比較部による比較結果に基づいて、表示部の表示状態を調整する表示調整部１０１ｃとを備えている。【選択図】図１
2011077825.tif 000002
【特許請求の範囲】
【請求項１】
表示手段に表示調整用画像を表示させる表示制御手段と、
前記表示調整用画像が撮像手段により撮像されることで生成された調整用撮像画像を取得する取得手段と、
この取得手段により取得された前記調整用撮像画像と前記表示調整用画像とを比較する比較手段と、
この比較手段による比較結果に基づいて、前記表示手段の表示状態を調整する表示調整手段と、
を備えることを特徴とする表示装置。
【請求項２】
前記取得手段により取得された前記調整用撮像画像と前記表示調整用画像との間の位置ずれを補正するずれ補正手段を更に備え、
前記比較手段は、
前記ずれ補正手段により前記位置ずれが補正された前記調整用撮像画像と前記表示調整用画像とを比較することを特徴とする請求項１に記載の表示装置。
【請求項３】
前記撮像手段は、前記表示手段に表示された前記表示調整用画像の鏡像を撮像し、
前記撮像手段により撮像された前記表示調整用画像の鏡像を鏡映操作して前記調整用撮像画像を生成する生成手段を更に備えることを特徴とする請求項１又は２に記載の表示装置。
【請求項４】
前記表示手段は、自発光方式の複数の画素を有し、
前記比較手段は、
前記調整用撮像画像と前記表示調整用画像との比較結果に基づいて、前記複数の画素の中から他の画素と発光状態に差が生じている画素を特定する画素特定手段を備え、
前記表示調整手段は、
前記画素特定手段により特定された画素の発光状態に基づいて、前記表示手段の表示状態を調整することを特徴とする請求項１〜３の何れか一項に記載の表示装置。
【請求項５】
前記表示調整手段は、
前記複数の画素の発光状態が略等しくなるように前記画素特定手段により特定された画素の周辺画素の発光状態を補正して、前記表示手段の表示状態を調整することを特徴とする請求項４に記載の表示装置。
【請求項６】
前記複数の画素は、複数の色成分に対応して設けられ、
前記画素特定手段は、
前記調整用撮像画像と前記表示調整用画像との比較結果に基づいて、前記複数の色成分に係る画素の中から何れかの色成分に係る画素と発光状態に差が生じている色成分に係る画素を特定し、
前記表示調整手段は、
前記複数の色成分に係る画素の発光状態が略等しくなるように前記画素特定手段により特定された色成分に係る画素以外の色成分の画素の発光状態を補正して、前記表示手段の表示状態を調整することを特徴とする請求項４又は５に記載の表示装置。
【請求項７】
前記表示手段は、複数の色成分に対応して設けられた反射型の非発光方式の複数の画素を有し、
前記比較手段は、
前記調整用撮像画像と前記表示調整用画像との比較結果に基づいて、前記複数の色成分のうち、他の色成分よりも強く発色されている色成分を特定する色成分特定手段を備え、
前記表示調整手段は、
前記色成分特定手段により特定された色成分の発色状態に基づいて、前記表示手段の表示状態を調整することを特徴とする請求項１〜３の何れか一項に記載の表示装置。
【請求項８】
前記表示調整手段は、
前記複数の色成分に係る画素の発色状態が略等しくなるように前記色成分特定手段により特定された色成分の発色状態を補正して、前記表示手段の表示状態を調整することを特徴とする請求項７に記載の表示装置。
【請求項９】
表示調整用画像を表示手段に表示させる表示制御手段を備える表示装置と、撮像装置とが所定の通信回線を介して接続された表示システムであって、
前記撮像装置は、
前記表示手段に表示された前記表示調整用画像を撮像して調整用撮像画像を生成する撮像手段と、
この撮像手段により生成された前記調整用撮像画像を前記所定の通信回線を介して前記表示装置に送信する送信手段と、を備え、
前記表示装置は、
前記送信手段から前記所定の通信回線を介して送信された前記調整用撮像画像を受信する受信手段と、
この受信手段により受信した前記調整用撮像画像を取得する取得手段と、
この取得手段により取得された前記調整用撮像画像と前記表示調整用画像とを比較する比較手段と、
この比較手段による比較結果に基づいて、前記表示手段の表示状態を調整する表示調整手段と、
を備えることを特徴とする表示システム。
【請求項１０】
表示装置を用いた表示方法であって、
表示装置に表示調整用画像を表示させる処理と、
前記表示調整用画像が撮像手段により撮像されることで生成された調整用撮像画像を取得する処理と、
取得された前記調整用撮像画像と前記表示調整用画像とを比較する処理と、
この比較結果に基づいて、前記表示手段の表示状態を調整する処理と、
を実行することを特徴とする表示方法。
【請求項１１】
表示装置のコンピュータを、
表示手段に表示調整用画像を表示させる表示制御手段、
前記表示調整用画像が撮像手段により撮像されることで生成された調整用撮像画像を取得する取得手段、
この取得手段により取得された前記調整用撮像画像と前記表示調整用画像とを比較する比較手段、
この比較手段による比較結果に基づいて、前記表示手段の表示状態を調整する表示調整手段、
として機能させることを特徴とするプログラム。
【発明の詳細な説明】
【技術分野】
【０００１】
本発明は、撮像装置により撮像された画像を表示する表示装置、表示システム、表示方法及びプログラムに関する。
【背景技術】
【０００２】
従来、照度センサを内蔵し、外光の照度に応じて輝度や色調を調整することにより表示すべき色をより最適に表示させ、画像の視認性を向上させる画像表示装置が知られている（例えば、特許文献１参照）。
また、製品出荷段階で表示装置の欠陥画素を特定して、当該欠陥画素に対して部分的に補償されたビデオ信号を送信する画素欠陥補償装置も知られている（例えば、特許文献２参照）。
【先行技術文献】
【特許文献】
【０００３】
【特許文献１】特開２００６−２６７１４４号公報
【特許文献２】特開平６−１９５０４８号公報
【発明の概要】
【発明が解決しようとする課題】
【０００４】
しかしながら、上記特許文献２の場合、製品出荷段階で欠陥画素の補償を行うようになっており、経年変化などにより輝度ムラや焼き付きを起こしてしまった画素に対しては有効な補正手段がなかった。また、従来から知られているスクリーンセーバーや高輝度を分散させる方式等の焼き付き防止手段では、輝度ムラや焼き付きを起こしてしまった画素に対しては対応できないといった問題もある。
【０００５】
そこで、本発明の課題は、経年変化などによる表示状態の変動を補正することができ、より鮮明な画像表示を実現することができる表示装置、表示システム、表示方法及びプログラムを提供することである。
【課題を解決するための手段】
【０００６】
上記課題を解決するため、請求項１に記載の発明の表示装置は、
表示手段に表示調整用画像を表示させる表示制御手段と、前記表示調整用画像が撮像手段により撮像されることで生成された調整用撮像画像を取得する取得手段と、この取得手段により取得された前記調整用撮像画像と前記表示調整用画像とを比較する比較手段と、この比較手段による比較結果に基づいて、前記表示手段の表示状態を調整する表示調整手段と、を備えることを特徴としている。
【０００７】
請求項２に記載の発明は、請求項１に記載の表示装置において、
前記取得手段により取得された前記調整用撮像画像と前記表示調整用画像との間の位置ずれを補正するずれ補正手段を更に備え、前記比較手段は、前記ずれ補正手段により前記位置ずれが補正された前記調整用撮像画像と前記表示調整用画像とを比較することを特徴としている。
【０００８】
請求項３に記載の発明は、請求項１又は２に記載の表示装置において、
前記撮像手段は、前記表示手段に表示された前記表示調整用画像の鏡像を撮像し、前記撮像手段により撮像された前記表示調整用画像の鏡像を鏡映操作して前記調整用撮像画像を生成する生成手段を更に備えることを特徴としている。
【０００９】
請求項４に記載の発明は、請求項１〜３の何れか一項に記載の表示装置において、
前記表示手段は、自発光方式の複数の画素を有し、前記比較手段は、前記調整用撮像画像と前記表示調整用画像との比較結果に基づいて、前記複数の画素の中から他の画素と発光状態に差が生じている画素を特定する画素特定手段を備え、前記表示調整手段は、前記画素特定手段により特定された画素の発光状態に基づいて、前記表示手段の表示状態を調整することを特徴としている。
【００１０】
請求項５に記載の発明は、請求項４に記載の表示装置において、
前記表示調整手段は、前記複数の画素の発光状態が略等しくなるように前記画素特定手段により特定された画素の周辺画素の発光状態を補正して、前記表示手段の表示状態を調整することを特徴としている。
【００１１】
請求項６に記載の発明は、請求項４又は５に記載の表示装置において、
前記複数の画素は、複数の色成分に対応して設けられ、前記画素特定手段は、前記調整用撮像画像と前記表示調整用画像との比較結果に基づいて、前記複数の色成分に係る画素の中から何れかの色成分に係る画素と発光状態に差が生じている色成分に係る画素を特定し、前記表示調整手段は、前記複数の色成分に係る画素の発光状態が略等しくなるように前記画素特定手段により特定された色成分に係る画素以外の色成分の画素の発光状態を補正して、前記表示手段の表示状態を調整することを特徴としている。
【００１２】
請求項７に記載の発明は、請求項１〜３の何れか一項に記載の表示装置において、
前記表示手段は、複数の色成分に対応して設けられた反射型の非発光方式の複数の画素を有し、前記比較手段は、前記調整用撮像画像と前記表示調整用画像との比較結果に基づいて、前記複数の色成分のうち、他の色成分よりも強く発色されている色成分を特定する色成分特定手段を備え、
前記表示調整手段は、前記色成分特定手段により特定された色成分の発色状態に基づいて、前記表示手段の表示状態を調整することを特徴としている。
【００１３】
請求項８に記載の発明は、請求項７に記載の表示装置において、
前記表示調整手段は、前記複数の色成分に係る画素の発色状態が略等しくなるように前記色成分特定手段により特定された色成分の発色状態を補正して、前記表示手段の表示状態を調整することを特徴としている。
【００１４】
請求項９に記載の発明の表示システムは、
表示調整用画像を表示手段に表示させる表示制御手段を備える表示装置と、撮像装置とが所定の通信回線を介して接続された表示システムであって、前記撮像装置は、前記表示手段に表示された前記表示調整用画像を撮像して調整用撮像画像を生成する撮像手段と、この撮像手段により生成された前記調整用撮像画像を前記所定の通信回線を介して前記表示装置に送信する送信手段と、を備え、前記表示装置は、前記送信手段から前記所定の通信回線を介して送信された前記調整用撮像画像を受信する受信手段と、この受信手段により受信した前記調整用撮像画像を取得する取得手段と、この取得手段により取得された前記調整用撮像画像と前記表示調整用画像とを比較する比較手段と、この比較手段による比較結果に基づいて、前記表示手段の表示状態を調整する表示調整手段と、を備えることを特徴としている。
【００１５】
請求項１０に記載の発明の表示方法は、
表示装置を用いた表示方法であって、表示装置に表示調整用画像を表示させる処理と、前記表示調整用画像が撮像手段により撮像されることで生成された調整用撮像画像を取得する処理と、取得された前記調整用撮像画像と前記表示調整用画像とを比較する処理と、この比較結果に基づいて、前記表示手段の表示状態を調整する処理と、を実行することを特徴としている。
【００１６】
請求項１１に記載の発明のプログラムは、
表示装置のコンピュータを、表示手段に表示調整用画像を表示させる表示制御手段、前記表示調整用画像が撮像手段により撮像されることで生成された調整用撮像画像を取得する取得手段、この取得手段により取得された前記調整用撮像画像と前記表示調整用画像とを比較する比較手段、この比較手段による比較結果に基づいて、前記表示手段の表示状態を調整する表示調整手段、として機能させることを特徴としている。
【発明の効果】
【００１７】
本発明によれば、経年変化などによる表示状態の変動を補正することができ、より鮮明な画像表示を実現することができる。
【図面の簡単な説明】
【００１８】
【図１】本発明を適用した一実施形態の表示システムの概略構成を模式的に示す図である。
【図２】図１の表示システムを構成する表示装置の概略構成を示すブロック図である。
【図３】図２の表示装置に係る表示調整用画像の一例を模式的に示す図である。
【図４】図１の表示システムを構成する撮像装置の概略構成を示すブロック図である。
【図５】図１の表示システムによる表示調整処理に係る動作の一例を示すフローチャートである。
【図６】変形例１の表示システムを構成する表示装置の概略構成を示すブロック図である。
【図７】図６の表示システムによる表示調整処理に係る動作の一例を示すフローチャートである。
【図８】変形例２の表示装置の概略構成を示すブロック図である。
【発明を実施するための形態】
【００１９】
以下に、本発明について、図面を用いて具体的な態様を説明する。ただし、発明の範囲は、図示例に限定されない。
図１は、本発明を適用した一実施形態の表示システム１００の概略構成を模式的に示す図である。
【００２０】
本実施形態の表示システム１００は、図１に示すように、表示装置１と撮像装置２とが所定の通信ネットワークＮ（図２等参照）を介して接続されたシステムであり、具体的には、表示装置１は、表示部１０１に表示された表示調整用画像が撮像装置２の撮像部２０１により撮像されることで生成された調整用撮像画像を取得して、当該調整用撮像画像と表示調整用画像とを比較し、この比較結果に基づいて表示部１０１の表示状態を調整する。
【００２１】
先ず、表示装置１について図２及び図３を参照して説明する。
図２は、表示装置１の概略構成を示すブロック図である。また、図３は、表示装置１の正面図であって、テストパターン画像の一例を模式的に示す図である。
図２に示すように、表示装置１は、表示部１０１と、テスト画像記憶部１０２と、画像処理部１０３と、メモリ１０４と、記録媒体１０５と、通信制御部１０６と、操作入力部１０７と、中央制御部１０８とを備えている。また、表示装置１は、通信ネットワークＮに接続された撮像装置２と通信可能に構成されている。
【００２２】
表示部１０１は、有機ＥＬ表示パネル１０１ａと、表示制御部１０１ｂとを具備している。
有機ＥＬ表示パネル１０１ａは、自発光方式の有機ＥＬ(Electro Luminescence)素子がＲ（赤）、Ｇ（緑）、Ｂ（青）の色成分に対応してマトリクス状に複数配列されている。
【００２３】
表示制御部１０１ｂは、表示用の画像データを読み出して有機ＥＬ表示パネル１０１ａに表示させる制御を行う。即ち、表示制御部１０１ｂは、記録媒体１０５やテスト画像記憶部１０２に記憶されている表示用の画像データを読み出し、入力画像信号に応じた駆動信号（電圧信号）を電流信号に変換して駆動電流を有機ＥＬ素子に供給することで、有機ＥＬ表示パネル１０１ａに画像を表示させる。
具体的には、表示制御部１０１ｂは、テスト画像記憶部１０２に記憶されている表示調整用画像データｄ１を読み出し、複数の画素の中で輝度劣化している輝度劣化画素の特定に際して各色ベタの格子状のテストパターン画像（表示調整用画像）を有機ＥＬ表示パネル１０１ａに表示させる。また、表示制御部１０１ｂは、テスト画像記憶部１０２に記憶されている表示調整用画像データｄ１を読み出し、Ｒ、Ｇ、Ｂの画素の輝度レベル差の検出に際してこれら全ての画素を全点灯させることでベタ表示（白表示）の表示調整用画像を有機ＥＬ表示パネル１０１ａに表示させる。
ここで、表示制御部１０１ｂは、有機ＥＬ表示パネル（表示手段）１０１ａに表示調整用画像を表示させる表示制御手段を構成している。
【００２４】
また、表示制御部１０１ｂは、画像比較部１０３ｃによる表示調整用画像データｄ１と調整用撮像画像データｄ２との比較結果に基づいて、有機ＥＬ表示パネル１０１ａの表示状態を調整する表示調整部１０１ｃを具備している。
表示調整部１０１ｃは、具体的には、画像比較部１０３ｃの画素特定部１０３ｄにより特定された複数の画素の中で他の画素と発光状態に差が生じている輝度劣化画素の発光状態に基づいて、複数の画素の発光状態が略等しくなるように輝度劣化画素の周辺画素の発光状態を補正して、有機ＥＬ表示パネル１０１ａの表示状態を調整する。
また、表示調整部１０１ｃは、画像比較部１０３ｃの画素特定部１０３ｄにより特定されたＲ、Ｇ、Ｂの色成分に係る画素の中で他の色成分の画素と発光状態に差が生じている色成分に係る輝度劣化色成分画素の発光状態に基づいて、当該Ｒ、Ｇ、Ｂの色成分に係る画素の発光状態が略等しくなるように輝度劣化色成分画素以外の色成分の画素の発光状態を補正する。即ち、表示調整部１０１ｃは、Ｒ、Ｇ、Ｂの中で輝度劣化の進んだ色成分の画素の輝度の最小値に合わせて、他の色成分の画素の輝度の最高値を合わせるように補正することで、有機ＥＬ表示パネル１０１ａの表示状態を調整する。
ここで、表示調整部１０１ｃは、画像比較部１０３ｃによる比較結果に基づいて、有機ＥＬ表示パネル１０１ａの表示状態を調整する表示調整手段を構成している。
【００２５】
テスト画像記憶部１０２は、有機ＥＬ表示パネル１０１ａの表示状態の調整用の表示調整用画像データｄ１を記憶している。
表示調整用画像データｄ１は、例えば、輝度劣化画素の特定用の各色ベタの格子状のテストパターン画像（図３参照）や、Ｒ、Ｇ、Ｂの画素の輝度レベル差の検出用のベタ表示（白表示）画像に係るデータである。
【００２６】
画像処理部１０３は、画像取得部１０３ａと、ずれ補正部１０３ｂと、画像比較部１０３ｃとを具備している。
【００２７】
画像取得部１０３ａは、通信制御部１０６により受信した調整用撮像画像のＹＵＶデータを取得する。即ち、画像取得部１０３ａは、当該表示装置１の表示部１０１に表示された表示調整用画像が撮像装置２の撮像部２０１（後述）により撮像されて画像データ生成部２０２（後述）により生成された調整用撮像画像のＹＵＶデータを取得する。
ここで、画像取得部１０３ａは、表示調整用画像が撮像装置２により撮像されることで生成された調整用撮像画像を取得する取得手段を構成している。
【００２８】
ずれ補正部１０３ｂは、ずれ補正手段として、画像取得部１０３ａにより取得された調整用撮像画像データｄ２と表示調整用画像データｄ１との間の位置ずれを補正する。
ここで、調整用撮像画像は、有機ＥＬ表示パネル１０１ａに表示された表示調整用画像部分の他にその周辺の当該表示装置１の略矩形状の外枠パネル部分を含む画像であることから、ずれ補正部１０３ｂは、当該外枠パネルの４隅を基準として、調整用撮像画像を撮像した際のＸＹＺ軸の傾き（歪み）を修正するように、即ち、当該調整用撮像画像が表示調整用画像と相似形状の略矩形状となるように各画素の座標変換式（射影変換行列）を算出する。そして、ずれ補正部１０３ｂは、算出された座標変換式に従って調整用撮像画像の各画素を射影変換した後、当該射影変換後の調整用撮像画像の表示調整用画像部分と表示調整用画像の画像サイズがほぼ等しくなるように調整することで当該調整用撮像画像と表示調整用画像との間の位置ずれを補正する。
なお、調整用撮像画像は、有機ＥＬ表示パネル１０１ａに表示された表示調整用画像部分のみの画像であってもよく、この場合には、所定間隔を空けて配置された少なくとも４つの画素（例えば、４隅の画素）を他の画素と区別可能となるように着色しておくことで、当該４つの画素を利用して、当該調整用撮像画像を撮像した際のＸＹＺ軸の傾きを修正する。また、調整用撮像画像が格子状のテストパターン画像である場合には、何れかの格子の歪みを利用しても良い。
ここで、ずれ補正部１０３ｂは、画像取得部１０３ａにより取得された調整用撮像画像データｄ２と表示調整用画像データｄ１との間の位置ずれを補正するずれ補正手段を構成している。
【００２９】
画像比較部１０３ｃは、ずれ補正部１０３ｂにより位置ずれが補正された調整用撮像画像データｄ２と表示調整用画像データｄ１とを比較する。
具体的には、画像比較部１０３ｃは、調整用撮像画像の表示調整用画像部分と表示調整用画像の対応する各画素どうしを一致させ、これら各画素どうしを比較する。そして、画像比較部１０３ｃの画素特定部（画素特定手段）１０３ｄは、当該比較結果に基づいて、長時間の発光により輝度劣化が生じ、有機ＥＬ表示パネル１０１ａの複数の画素の中から他の画素と発光状態に差が生じている輝度劣化画素や、有機ＥＬ表示パネル１０１ａのＲ、Ｇ、Ｂの色成分に係る画素の中で他の色成分の画素と発光状態に差が生じている色成分に係る輝度劣化色成分画素等の異常画素を特定する。
ここで、画像比較部１０３ｃは、画像取得部１０３ａにより取得された調整用撮像画像データｄ２と表示調整用画像データｄ１とを比較する比較手段を構成している。
【００３０】
メモリ１０４は、例えば、ＤＲＡＭ等により構成され、中央制御部１０８等によって処理されるデータ等を一時記憶する。
【００３１】
記録媒体１０５は、例えば、不揮発性メモリ（フラッシュメモリ）等により構成されている。また、記録媒体１０５は、表示部１０１に表示される静止画像や動画像を記憶するものであり、所定の圧縮形式で符号化された静止画像データや複数の画像フレームからなる動画像データを記録する。
【００３２】
通信制御部１０６は、例えば、通信アンテナや通信回路（図示略）等を具備し、無線ＬＡＮ（Local Area Network）等の所定の通信規格により、通信ネットワークＮを介して接続された撮像装置２との間で情報の通信制御を行う。
具体的には、通信制御部１０６は、受信手段として、撮像装置２から通信ネットワークＮを介して送信された調整用撮像画像のＹＵＶデータを受信する。
【００３３】
なお、通信ネットワークＮは、例えば、専用線や既存の一般公衆回線を利用して構築された通信ネットワークＮであり、ＬＡＮ（Local Area Network）やＷＡＮ（Wide Area Network）等の様々な回線形態を適用することが可能である。また、通信ネットワークＮには、例えば、電話回線網、ＩＳＤＮ回線網、専用線、移動体通信網、通信衛星回線、ＣＡＴＶ回線網等の各種通信回線網と、それらを接続するインターネットサービスプロバイダ等が含まれる。
【００３４】
操作入力部１０７は、例えば、数値、文字等を入力するためのデータ入力キーや、データの選択、送り操作等を行うための上下左右移動キーや各種機能キー等によって構成される操作部を備え、これらの操作部の操作に応じて所定の操作信号を中央制御部１０８に出力する。
【００３５】
中央制御部１０８は、表示装置１の各部を制御するものである。具体的には、中央制御部１０８は、ＣＰＵ、ＲＡＭ、ＲＯＭ（何れも図示略）を備え、表示装置１用の各種処理プログラム（図示略）に従って各種の制御動作を行う。
【００３６】
次に、撮像装置２について図４を参照して説明する。
図４は、撮像装置２の概略構成を示すブロック図である。
図４に示すように、撮像装置２は、撮像部２０１と、画像データ生成部２０２と、メモリ２０３と、表示制御部２０４と、表示部２０５と、記録媒体２０６と、通信制御部２０７と、操作入力部２０８と、中央制御部２０９とを備えている。また、撮像装置２は、通信ネットワークＮに接続された表示装置１と通信可能に構成されている。
【００３７】
撮像部２０１は、被写体を撮像して画像フレームを生成する。具体的には、撮像部２０１は、図示は省略するが、ズームレンズやフォーカスレンズ等の複数のレンズから構成されたレンズ部と、レンズ部を通過する光の量を調整する絞りと、ＣＣＤ（Charge Coupled Device）やＣＭＯＳ（Complementary Metal-oxide Semiconductor）等のイメージセンサから構成され、レンズ部の各種レンズを通過した光学像を二次元の画像信号に変換する電子撮像部を備えている。
また、撮像部２０１は、図示は省略するが、タイミング発生器、ドライバなどを具備する撮像制御部を備えている。そして、撮像制御部は、タイミング発生器、ドライバにより電子撮像部を走査駆動して、所定周期毎に光学像を電子撮像部により二次元の画像信号に変換させ、当該電子撮像部の撮像領域から１画面分ずつ画像フレームを読み出して画像データ生成部２０２に出力させる。
また、撮像制御部は、撮像条件の調整制御として、ＡＥ（自動露出処理）、ＡＦ（自動合焦処理）、ＡＷＢ（自動ホワイトバランス）等を行う。
【００３８】
画像データ生成部２０２は、電子撮像部から転送された画像データのアナログ値の信号に対してＲＧＢの各色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶ色空間の画像データ）を生成する。
カラープロセス回路から出力される輝度信号Ｙ及び色差信号Ｃｂ，Ｃｒは、図示しないＤＭＡコントローラを介して、バッファメモリとして使用されるメモリ２０３にＤＭＡ転送される。
【００３９】
そして、撮像部２０１は、表示装置１の表示部１０１に表示された表示調整用画像を撮像して、レンズ部の各種レンズを通過した表示調整用画像（表示装置１の外枠パネル部分を含む）の光学像を電子撮像部により二次元の画像信号に変換する。画像データ生成部２０２は、電子撮像部から転送された表示調整用画像のアナログ値の画像データに基づいて、デジタル値の調整用撮像画像のＹＵＶデータを生成する。
ここで、撮像部２０１及び画像データ生成部２０２は、表示装置１の表示部１０１に表示された表示調整用画像を撮像して調整用撮像画像を生成する撮像手段を構成している。
【００４０】
メモリ２０３は、例えば、ＤＲＡＭ等により構成され、中央制御部２０９等によって処理されるデータ等を一時記憶する。
【００４１】
表示制御部２０４は、メモリ２０３に一時的に記憶されている表示用の画像データを読み出して表示部２０５に表示させる制御を行う。
具体的には、表示制御部２０４は、ＶＲＡＭ、ＶＲＡＭコントローラ、デジタルビデオエンコーダなどを備えている。そして、デジタルビデオエンコーダは、中央制御部２０９の制御下にてメモリ２０３から読み出されてＶＲＡＭ（図示略）に記憶されている輝度信号Ｙ及び色差信号Ｃｂ，Ｃｒを、ＶＲＡＭコントローラを介してＶＲＡＭから定期的に読み出して、これらのデータを元にビデオ信号を発生して表示部２０５に出力する。
【００４２】
表示部２０５は、例えば、液晶表示装置であり、表示制御部２０４からのビデオ信号に基づいて電子撮像部により撮像された画像などを表示画面に表示する。具体的には、表示部２０５は、静止画撮像モードや動画撮像モードにて、撮像部２０１による被写体の撮像により生成された複数の画像フレームを所定のフレームレートで逐次更新しながらライブビュー画像を表示する。また、表示部２０５は、静止画として記録される画像（レックビュー画像）を表示したり、動画として記録中の画像を表示する。
【００４３】
記録媒体２０６は、例えば、不揮発性メモリ（フラッシュメモリ）等により構成され、所定の圧縮形式で符号化された記録用の静止画像データや複数の画像フレームからなる動画像データを記録する。
【００４４】
通信制御部２０７は、例えば、通信アンテナや通信回路（図示略）等を具備し、無線ＬＡＮ（Local Area Network）等の所定の通信規格により、通信ネットワークＮを介して接続された表示装置１との間で情報の通信制御を行う。
具体的には、通信制御部２０７は、送信手段として、画像データ生成部２０２により生成された調整用撮像画像のＹＵＶデータを通信ネットワークＮを介して表示装置１に送信する。
【００４５】
操作入力部２０８は、当該撮像装置２の所定操作を行うためのものである。具体的には、操作入力部２０８は、被写体の撮影指示に係るシャッタボタン、撮像モードや機能等の選択指示に係る選択決定ボタン、ズーム量の調整指示に係るズームボタン等を備え（何れも図示略）、これらのボタンの操作に応じて所定の操作信号を中央制御部２０９に出力する。
【００４６】
中央制御部２０９は、撮像装置２の各部を制御するものである。具体的には、中央制御部２０９は、ＣＰＵ、ＲＡＭ、ＲＯＭ（何れも図示略）を備え、撮像装置２用の各種処理プログラムやデータ（図示略）に従って各種の制御動作を行う。
【００４７】
次に、本実施形態の表示システム１００による表示調整処理について図５を参照して説明する。
図５は、表示調整処理に係る動作の一例を示すフローチャートである。
【００４８】
図５に示すように、表示装置１の表示制御部１０１ｂは、テスト画像記憶部１０２に記憶されている表示調整用画像データｄ１を読み出して、所定の表示調整用画像（例えば、テストパターン画像等）を有機ＥＬ表示パネル１０１ａに表示させる（ステップＳ１）。
続けて、表示装置１の通信制御部１０６は、表示調整用画像の撮像指示を通信ネットワークＮを介して撮像装置２に送信する（ステップＳ２）。
【００４９】
撮像装置２の通信制御部２０７は、表示装置１から通信ネットワークＮを介して送信された撮像指示を受信すると（ステップＳ３）、中央制御部２０９は、ユーザによる操作入力部２０８のシャッタボタンの所定操作に基づいて撮像指示が入力されたか否かを判定する（ステップＳ４）。
ここで、撮像指示が入力されたと判定されると（ステップＳ４；ＹＥＳ）、撮像部２０１は、表示装置１に表示されている表示調整用画像の光学像を所定の露出条件で電子撮像部により撮像して、画像データ生成部２０２は、電子撮像部から転送された表示調整用画像のアナログ値の画像データに基づいて、デジタル値の調整用撮像画像のＹＵＶデータを生成する（ステップＳ５）。
続けて、撮像装置２の通信制御部２０７は、画像データ生成部２０２により生成された調整用撮像画像のＹＵＶデータを通信ネットワークＮを介して表示装置１に送信する（ステップＳ６）。
【００５０】
表示装置１の通信制御部１０６は、撮像装置２から通信ネットワークＮを介して送信された調整用撮像画像のＹＵＶデータを受信すると（ステップＳ７）、画像処理部１０３の画像取得部１０３ａは、通信制御部１０６により受信した調整用撮像画像のＹＵＶデータを取得した後、ずれ補正部１０３ｂは、画像取得部１０３ａにより取得された調整用撮像画像データｄ２と表示調整用画像データｄ１との間の位置ずれを補正する（ステップＳ８）。具体的には、ずれ補正部１０３ｂは、調整用撮像画像を撮像した際のＸＹＺ軸の傾き（歪み）を修正するように、即ち、当該調整用撮像画像が表示調整用画像と相似形状の略矩形状となるように各画素の座標変換式（射影変換行列）を算出する。そして、ずれ補正部１０３ｂは、算出された座標変換式に従って調整用撮像画像の各画素を射影変換した後、当該射影変換後の調整用撮像画像の表示調整用画像部分と表示調整用画像の画像サイズがほぼ等しくなるように調整することで当該調整用撮像画像と表示調整用画像との間の位置ずれを補正する。
【００５１】
次に、画像処理部１０３の画像比較部１０３ｃは、ずれ補正部１０３ｂにより位置ずれが補正された調整用撮像画像データｄ２と表示調整用画像データｄ１とを比較する（ステップＳ９）。具体的には、画像比較部１０３ｃは、調整用撮像画像の表示調整用画像部分と表示調整用画像の対応する各画素どうしを一致させ、これら各画素どうしを比較する。
そして、画像比較部１０３ｃの画素特定部１０３ｄは、位置ずれが補正された調整用撮像画像データｄ２と表示調整用画像データｄ１との比較結果に基づいて、異常画素、即ち、複数の画素の中で他の画素と発光状態に差が生じている輝度劣化画素や、Ｒ、Ｇ、Ｂの色成分に係る画素の中で他の色成分の画素と発光状態に差が生じている色成分に係る輝度劣化色成分画素を特定する（ステップＳ１０）。
【００５２】
次に、表示装置１の表示調整部１０１ｃは、画像比較部１０３ｃによる表示調整用画像データｄ１と調整用撮像画像データｄ２との比較結果に基づいて、有機ＥＬ表示パネル１０１ａの表示状態を調整する（ステップＳ１１）。具体的には、表示調整部１０１ｃは、画素特定部１０３ｄにより特定された複数の画素の中で他の画素と発光状態に差が生じている輝度劣化画素の発光状態に基づいて、複数の画素の発光状態が略等しくなるように輝度劣化画素の周辺画素の発光状態を補正したり、画素特定部１０３ｄにより特定されたＲ、Ｇ、Ｂの色成分に係る画素の中で他の色成分の画素と発光状態に差が生じている色成分に係る輝度劣化色成分画素の発光状態に基づいて、当該Ｒ、Ｇ、Ｂの色成分に係る画素の発光状態が略等しくなるように輝度劣化色成分画素以外の色成分の画素の発光状態を補正する。
これにより、表示調整処理を終了する。
【００５３】
以上のように、本実施形態の表示システム１００によれば、表示装置１は、表示部１０１に表示された表示調整用画像が撮像装置２の撮像部２０１により撮像されることで生成された調整用撮像画像を取得して、当該調整用撮像画像と表示調整用画像とを比較し、この比較結果に基づいて表示部１０１の表示状態を調整するので、表示装置１の購入後に経年変化などによる表示状態に変動が生じても当該変動を補正することができる。即ち、有機ＥＬ表示パネル１０１ａの特定の画素を長時間発光させることで当該画素のみ輝度劣化が生じた場合であっても、表示状態の変動を補正することができ、経年変化してもより鮮明な画像表示を実現することができ、製品寿命の延命を図ることができる。
【００５４】
また、調整用撮像画像と表示調整用画像との比較結果に基づいて、長時間の発光により輝度劣化が生じた、有機ＥＬ表示パネル１０１ａの複数の画素の中から他の画素と発光状態に差が生じている輝度劣化画素を特定して、複数の画素の発光状態が略等しくなるように輝度劣化画素の周辺画素の発光状態を補正して、有機ＥＬ表示パネル１０１ａの表示状態を調整するので、特定の画素の長時間発光により当該画素が他の画素よりも半減期が早く訪れた場合であっても、有機ＥＬ表示パネル１０１ａの表示状態の変動を適正に補正することができる。
また、調整用撮像画像と表示調整用画像との比較結果に基づいて、長時間の発光により輝度劣化が生じた、有機ＥＬ表示パネル１０１ａのＲ、Ｇ、Ｂの色成分に係る画素の中で他の色成分の画素と発光状態に差が生じている色成分に係る輝度劣化色成分画素を特定して、Ｒ、Ｇ、Ｂの色成分に係る画素の発光状態が略等しくなるように輝度劣化色成分画素以外の色成分の画素の発光状態を補正して、有機ＥＬ表示パネル１０１ａの表示状態を調整するので、各色成分毎により半減期が異なる場合であっても、有機ＥＬ表示パネル１０１ａの表示状態の変動を適正に補正することができる。
【００５５】
また、調整用撮像画像と表示調整用画像との位置ずれを補正するので、表示装置１に表示された表示調整用画像を手持ちの撮像装置２で撮像した場合であっても、位置ずれが補正された調整用撮像画像と表示調整用画像との比較を適正に行うことができ、当該比較結果に基づいて表示部１０１の表示状態の調整を適正に行うことができる。
【００５６】
なお、本発明は、上記実施形態に限定されることなく、本発明の趣旨を逸脱しない範囲において、種々の改良並びに設計の変更を行っても良い。
以下に、表示システム１００の変形例について説明する。
【００５７】
＜変形例１＞
図６は、変形例１の表示システム１００を構成する表示装置１の概略構成を示すブロック図である。
変形例１の表示システム１００は、液晶表示パネル３０１ａに表示された調整用撮像画像と表示調整用画像との比較結果に基づいて、反射型の液晶表示パネル３０１ａの各画素に係る複数の色成分のうち、他の色成分よりも強く発色されている異常色成分を特定して、当該異常色成分に係る画素の発色状態に基づいて液晶表示パネル３０１ａの表示状態を調整する。
なお、変形例１の表示システム１００は、以下に説明する以外の点で上記実施形態の表示システム１００と略同様の構成をなし、その説明は省略する。
【００５８】
図６に示すように、表示装置１の表示部３０１は、液晶表示パネル３０１ａを具備している。
液晶表示パネル３０１ａは、反射型の非発光方式の画素がＲ（赤）、Ｇ（緑）、Ｂ（青）の色成分に対応してマトリクス状に複数配列されている。
【００５９】
表示制御部３０１ｂは、記録媒体１０５やテスト画像記憶部１０２に記憶されている表示用の画像データを読み出して、液晶表示パネル３０１ａに表示させる制御を行う。
また、表示制御部３０１ｂの表示調整部３０１ｃは、画像比較部３０３ｃの色成分特定部３０３ｄにより特定されたＲ、Ｇ、Ｂの色成分の中で他の色成分よりも強く発色されている異常色成分の発色状態に基づいて、液晶表示パネル３０１ａの表示状態を調整する。即ち、表示調整部３０１ｃは、液晶表示パネル３０１ａのＲ、Ｇ、Ｂの色成分に係る画素の発色状態が略等しくなるように、異常色成分の強まっている発色状態を平均化して減衰させる。具体的には、表示調整部３０１ｃは、Ｒ：Ｃ、Ｇ：Ｍ、Ｂ：Ｙと言った補色関係を利用し、例えば、表示調整用画像としてのベタ表示（白表示）画像に対して、調整用撮像画像データｄ２の黄色（Ｙ）成分が多かった（強かった）場合、補色である青色（Ｂ）成分を他の色成分（Ｒ、Ｇ）に対して増加させるように各色成分の配分を補正することで、液晶表示パネル３０１ａの表示状態を調整する。
【００６０】
画像比較部３０３ｃは、液晶表示パネル３０１ａの複数の画素に係るＲ、Ｇ、Ｂの色成分のうち、他の色成分よりも強く発色されている異常色成分を特定する色成分特定部（色成分特定手段）３０３ｄを具備している。
色成分特定部３０３ｄは、具体的には、位置ずれが補正された調整用撮像画像データｄ２と表示調整用画像ｄ１との比較結果に基づいて、液晶表示パネル３０１ａの複数の色成分のうち、外光の影響を受けて他の色成分よりも強く発色されている異常色成分を特定する。
【００６１】
次に、本実施形態の表示システム１００による表示調整処理について図７を参照して説明する。
図７は、表示調整処理に係る動作の一例を示すフローチャートである。
【００６２】
図７に示すように、表示装置１の表示制御部３０１ｂは、テスト画像記憶部１０２に記憶されている表示調整用画像データｄ１を読み出して、所定の表示調整用画像（例えば、ベタ表示画像等）を液晶表示パネル３０１ａに表示させる（ステップＳ１）。
続けて、上記実施形態の表示調整処理と同様に、表示装置１の通信制御部１０６は、表示調整用画像の撮像指示を通信ネットワークＮを介して撮像装置２に送信する（ステップＳ２）。
【００６３】
そして、上記実施形態の表示調整処理と同様に、撮像装置２は、撮像指示の受信（ステップＳ３）、撮像指示の入力判定（ステップＳ４）、調整用撮像画像データｄ２の生成（ステップＳ５）、調整用撮像画像データｄ２の送信を行う（ステップＳ６）。
【００６４】
表示装置１の通信制御部１０６は、上記実施形態の表示調整処理と同様に、撮像装置２から通信ネットワークＮを介して送信された調整用撮像画像のＹＵＶデータを受信すると（ステップＳ７）、画像処理部１０３の画像取得部１０３ａは、通信制御部１０６により受信した調整用撮像画像のＹＵＶデータを取得した後、ずれ補正部１０３ｂは、画像取得部１０３ａにより取得された調整用撮像画像データｄ２と表示調整用画像データｄ１との間の位置ずれを補正する（ステップＳ８）。
【００６５】
次に、画像処理部１０３の画像比較部３０３ｃは、上記実施形態の表示調整処理と同様に、ずれ補正部１０３ｂにより位置ずれが補正された調整用撮像画像データｄ２と表示調整用画像データｄ１とを比較する（ステップＳ９）。そして、画像比較部３０３ｃの色成分特定部３０３ｄは、位置ずれが補正された調整用撮像画像データｄ２と表示調整用画像データｄ１との比較結果に基づいて、異常色成分、即ち、液晶表示パネル３０１ａの複数の画素に係るＲ、Ｇ、Ｂの色成分のうち、他の色成分よりも強く発色されている異常色成分を特定する（ステップＳ１１０）。
【００６６】
次に、表示装置１の表示調整部３０１ｃは、画像比較部３０３ｃによる表示調整用画像データｄ１と調整用撮像画像データｄ２との比較結果に基づいて、液晶表示パネル３０１ａの表示状態を調整する（ステップＳ１１１）。具体的には、表示調整部３０１ｃは、色成分特定部３０３ｄにより特定されたＲ、Ｇ、Ｂの色成分の中で他の色成分よりも強く発色されている異常色成分の発色状態に基づいて、Ｒ、Ｇ、Ｂの色成分に係る画素の発色状態が略等しくなるように異常色成分の強まっている発色状態を平均化して減衰させることで、液晶表示パネル３０１ａの表示状態を調整する。
これにより、表示調整処理を終了する。
【００６７】
従って、変形例１の表示システム１００によれば、液晶表示パネル３０１ａに表示された調整用撮像画像と表示調整用画像との比較結果に基づいて、反射型の液晶表示パネル３０１ａの各画素に係るＲ、Ｇ、Ｂの色成分のうち、他の色成分よりも強く発色されている異常色成分を特定して、当該異常色成分に係る画素の発色状態に基づいて、液晶表示パネル３０１ａの表示状態を調整するので、反射型の液晶表示パネル３０１ａの各画素に係るＲ、Ｇ、Ｂの色成分のうち、何れかの色成分が外光の影響を受けて他の色成分よりも強く発色されている場合であっても、Ｒ、Ｇ、Ｂの色成分に係る画素の発色状態が略等しくなるように異常色成分の強まっている発色状態を平均化して減衰させることで当該液晶表示パネル３０１ａの表示状態の変動を補正することができ、経年変化してもより鮮明な画像表示を実現することができる。
【００６８】
なお、上記実施形態及び変形例１にあっては、表示装置１と撮像装置２とは所定の通信ネットワークＮを介して情報通信可能に接続された構成を例示したが、表示システム１００の構成はこれに限られるものではなく、例えば、撮像装置２による表示調整用画像の撮像により生成された調整用撮像画像データｄ２を記録する記録媒体を表示装置１に差し替えて、当該表示装置１が記録媒体から調整用撮像画像データｄ２を読み出して取得するようにしても良い。
【００６９】
また、上記実施形態及び変形例１にあっては、調整用撮像画像のＸＹＺ軸の傾き（歪み）の修正を表示装置１側で行うようにしたが、撮像装置２側で行うようにしても良い。即ち、撮像装置２は、例えば、名刺やホワイトボードを真正面から撮像しなくとも恰も真正面から撮ったかのように補正する機能を利用することで、調整用撮像画像データｄ２から表示装置１の外枠パネルの輪郭部分（外形）や有機ＥＬ表示パネル１０１ａの輪郭部分を検出して、当該輪郭部分が略矩形状となるように変形することで調整用撮像画像のＸＹＺ軸の傾きを修正する。
さらに、撮像装置２に表示調整用画像データｄ１を記憶しておき、当該表示調整用画像データｄ１と形状変形後の調整用撮像画像データｄ２との対応する画素どうしの位置ずれの補正も撮像装置２側で行うようにしても良い。
【００７０】
＜変形例２＞
図８は、変形例２の表示装置４０１の概略構成を示すブロック図である。
変形例２の表示装置４０１は、表示部１０１に表示された表示調整用画像の鏡像を撮像部４１１により撮像して、表示調整用画像の鏡像を鏡映操作して調整用撮像画像を生成する。そして、表示装置４０１は、当該調整用撮像画像と表示調整用画像とを比較して、この比較結果に基づいて、表示部１０１の表示状態を調整する。
なお、変形例２の表示装置４０１は、以下に説明する以外の点で上記実施形態の表示システム１００の表示装置１と略同様の構成をなし、その説明は省略する。
【００７１】
図８に示すように、表示装置４０１は、撮像部４１１と、画像データ生成部４１２を備えている。
撮像部４１１は、上記実施形態の撮像装置２の撮像部２０１と略同様の構成をなしている。即ち、撮像部４１１は、被写体を撮像して画像フレームを生成する。具体的には、撮像部４１１は、図示は省略するが、ズームレンズやフォーカスレンズ等の複数のレンズから構成されたレンズ部と、レンズ部を通過する光の量を調整する絞りと、ＣＣＤ（Charge Coupled Device）やＣＭＯＳ（Complementary Metal-oxide Semiconductor）等のイメージセンサから構成され、レンズ部の各種レンズを通過した光学像を二次元の画像信号に変換する電子撮像部を備えている。
また、撮像部４１１は、図示は省略するが、タイミング発生器、ドライバなどを具備する撮像制御部を備えている。そして、撮像制御部は、タイミング発生器、ドライバにより電子撮像部を走査駆動して、所定周期毎に光学像を電子撮像部により二次元の画像信号に変換させ、当該電子撮像部の撮像領域から１画面分ずつ画像フレームを読み出して画像データ生成部４１２に出力させる。
また、撮像制御部は、撮像条件の調整制御として、ＡＥ（自動露出処理）、ＡＦ（自動合焦処理）、ＡＷＢ（自動ホワイトバランス）等を行う。
【００７２】
そして、撮像部４１１は、撮像手段として、ユーザによる操作入力部１０７のシャッタボタン（図示略）の所定操作に基づいて撮像指示が入力されると、表示部１０１に表示された表示調整用画像の鏡像を撮像して、レンズ部の各種レンズを通過した表示調整用画像の鏡像（表示装置４０１の外枠パネル部分を含む）の光学像を電子撮像部により二次元の画像信号に変換する。
【００７３】
画像データ生成部４１２は、上記実施形態の撮像装置２の画像データ生成部２０２と略同様の構成をなしている。即ち、画像データ生成部４１２は、電子撮像部から転送された画像データのアナログ値の信号に対してＲＧＢの各色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶ色空間の画像データ）を生成する。
カラープロセス回路から出力される輝度信号Ｙ及び色差信号Ｃｂ，Ｃｒは、図示しないＤＭＡコントローラを介して、バッファメモリとして使用されるメモリ１０４にＤＭＡ転送される。
【００７４】
そして、画像データ生成部４１２は、撮像部４１１による表示調整用画像の鏡像の撮像により、電子撮像部から転送された表示調整用画像の鏡像のアナログ値の画像データに基づいて表示調整用画像の鏡像を鏡映操作した後、デジタル値の調整用撮像画像のＹＵＶデータを生成する。
ここで、画像データ生成部４１２は、表示調整用画像の鏡像を鏡映操作して調整用撮像画像を生成する生成手段を構成している。
【００７５】
また、画像処理部１０３は、画像データ生成部４１２により生成された調整用撮像画像のＹＵＶデータを画像取得部１０３ａにより取得する。そして、画像処理部１０３は、ずれ補正部１０３ｂにより位置ずれが補正された調整用撮像画像データｄ２と表示調整用画像データｄ１とを画像比較部１０３ｃにより比較する。
その後、表示部１０１の表示調整部１０１ｃは、画像比較部１０３ｃによる表示調整用画像データｄ１と調整用撮像画像データｄ２との比較結果に基づいて、有機ＥＬ表示パネル１０１ａの表示状態を調整する。
【００７６】
従って、変形例２の表示装置４０１によれば、表示部１０１に表示された表示調整用画像の鏡像を撮像部４１１により撮像して、表示調整用画像の鏡像を鏡映操作して調整用撮像画像を画像データ生成部４１２により生成するので、鏡を利用することで外部機器としての撮像装置が不要となり、より簡略な表示装置１の構成で経年変化などによる表示状態の変動の補正に対応することができる。
【００７７】
なお、上記変形例２にあっては、表示部１０１に有機ＥＬ表示パネル１０１ａを具備する構成を例示したが、変形例１のように液晶表示パネル３０１ａを具備する構成であっても良い。
【００７８】
また、上記実施形態にあっては、位置ずれが補正された調整用撮像画像データｄ２と表示調整用画像データｄ１とを表示装置１、４０１の画像比較部１０３ｃ、３０３ｃにより比較するようにしたが、位置ずれの補正を行うか否かは適宜任意に変更することができる。
また、撮像装置２は、表示調整用画像の撮像の際に、手ぶれ補正を行うようにしても良く、これにより、より鮮明な調整用撮像画像の取得を図ることができ、表示装置１、４０１の表示状態の調整処理をより好適に行うことができる。
【００７９】
さらに、上記実施形態にあっては、表示調整用画像の撮像を、ユーザによる操作入力部２０８（１０７）の所定操作に基づいて撮像指示が入力された場合に行うようにしたが、これに限られるものではなく、自動的に表示調整用画像を撮像しても良い。即ち、例えば、撮像装置２や表示装置４０１に水準器等の角度検出手段を搭載して、当該撮像装置２や表示装置４０１が所定の角度（傾き）となった場合に自動的に表示調整用画像を撮像するようにしても良い。
【００８０】
加えて、上記実施形態にあっては、表示制御手段、取得手段、比較手段、表示調整手段としての機能を、中央制御部１０８の制御下にて、表示制御部１０１ｂ（３０１ｂ）、画像取得部１０３ａ、画像比較部１０３ｃ（３０３ｃ）、表示調整部１０１ｃ（３０１ｃ）が駆動することにより実現される構成としたが、これに限られるものではなく、中央制御部１０８のＣＰＵによって所定のプログラム等が実行されることにより実現される構成としても良い。
即ち、プログラムを記憶するプログラムメモリ（図示略）に、表示制御処理ルーチン、取得処理ルーチン、比較処理ルーチン、表示調整処理ルーチンを含むプログラムを記憶しておく。そして、表示制御処理ルーチンにより中央制御部１０８のＣＰＵを、表示手段に表示調整用画像を表示させる表示制御手段として機能させるようにしても良い。また、取得処理ルーチンにより中央制御部１０８のＣＰＵを、表示調整用画像が撮像手段により撮像されることで生成された調整用撮像画像を取得する取得手段として機能させるようにしても良い。また、比較処理ルーチンにより中央制御部１０８のＣＰＵを、取得手段により取得された調整用撮像画像と表示調整用画像とを比較する比較手段として機能させるようにしても良い。また、表示調整処理ルーチンにより中央制御部１０８のＣＰＵを、比較手段による比較結果に基づいて、表示手段の表示状態を調整する表示調整手段として機能させるようにしても良い。
【符号の説明】
【００８１】
１００  表示システム
１      表示装置
１０１  表示部
１０１ａ  有機ＥＬ表示パネル
１０１ｂ、３０１ｂ  表示制御部
１０１ｃ、３０１ｃ  表示調整部
１０３ａ  画像取得部
１０３ｂ  ずれ補正部
１０３ｃ、３０３ｃ  画像比較部
１０３ｄ  画素特定部
１０６  通信制御部
２      撮像装置
２０１、４１１  撮像部
２０２、４１２  画像データ生成部
２０７  通信制御部
３０１ａ  液晶表示パネル
３０３ｄ  色成分特定部
Ｎ      通信ネットワーク
【図１】
2011077825.tif 000003
【図２】
2011077825.tif 000004
【図３】
2011077825.tif 000005
【図４】
2011077825.tif 000006
【図５】
2011077825.tif 000007
【図６】
2011077825.tif 000008
【図７】
2011077825.tif 000009
【図８】
2011077825.tif 000010